(57)【特許請求の範囲】
【請求項１】
画データを両面送信する機能を備えた通信端末装置において、表裏の画データのサイズが異なる旨を報知する報知手段と、表裏の画データのサイズを大きい方または小さい方のいずれに合わせるかを選定させる手段と、該選定されたサイズが相手先の記録紙能力を超える場合にサイズが選定された表裏の画データを相手先の記録紙能力に合わせて両面送信する制御手段とを備える通信端末装置。
【請求項２】
請求項１に記載の通信端末装置において、前記制御手段は、大きい方のサイズに合わせることが選定された場合であって、該選定されたサイズが相手先の記録紙能力を超える場合には、表裏の各画データのうち、相手先の記録紙能力を超える画データを相手先の記録紙能力に合わせて縮小して送信するとともに、相手先の記録紙能力内の画データについては余白を付加して両面送信する通信端末装置。
【請求項３】
請求項１または２に記載の通信端末装置において、前記制御手段は、小さい方のサイズに合わせることが選定された場合であって、該選定されたサイズが相手先の記録紙能力を超える場合には、該選定されたサイズの表裏の各画データを相手先の記録紙能力に合わせて縮小して両面送信する通信端末装置。
【発明の詳細な説明】
【０００１】
【発明の属する技術分野】
本発明は、複写機能付きファクシミリ装置に代表される通信端末装置に関し、より詳しくは画データを両面送信する機能を備えた通信端末装置に関するものである。
【０００２】
【従来の技術】
近年、ファクシミリ伝送制御手順において、画データの両面送信に関する手順が勧告された。このため、複写機能付きファクシミリ装置においては、画データを両面送信する機能を備えたものが提案されている。この両面送信機能を用いれば、両面原稿の表裏或いは２枚の片面原稿を読取部で読み取って、その読み取った原稿の画データを相手先に両面送信することができる。
【０００３】
【発明が解決しようとする課題】
ところで、サイズの異なる表裏の原稿の画データを同一サイズで両面送信する場合には、原稿のサイズを統一するために、予め一方の原稿を縮小コピー或いは拡大コピーする必要がある。その結果、そのコピーにより送信原稿の画質も劣化する。
【０００４】
また、サイズの異なる原稿を間違った順序で読取部に載置した場合には、表裏の原稿のサイズが異なった状態で画データが読み取られる。しかしながら、このような場合でも、表裏の原稿のサイズが異なる旨を何ら報知していない。このため、サイズの異なる表裏の画データが相手先に両面送信される。
【０００５】
従って、相手先では、表裏の画データがサイズの異なる２枚の記録紙に記録される。このため、相手先において記録紙サイズを統一するために、記録済みの一方の記録紙を縮小コピー或いは拡大コピーする必要がある。その結果、そのコピーにより画質も劣化する。
【０００６】
本発明は、このような問題点に着目してなされたものであって、その目的は、利便性に優れた通信端末装置を提供することにある。
【０００７】
【課題を解決するための手段】
上記の目的を達成するために、請求項１に記載の発明では、画データを両面送信する機能を備えた通信端末装置において、表裏の画データのサイズが異なる旨を報知する報知手段と、表裏の画データのサイズを大きい方または小さい方のいずれに合わせるかを選定させる手段と、該選定されたサイズが相手先の記録紙能力を超える場合にサイズが選定された表裏の画データを相手先の記録紙能力に合わせて両面送信する制御手段とを備えた。
【０００８】
請求項２に記載の発明では、請求項１に記載の通信端末装置において、前記制御手段は、大きい方のサイズに合わせることが選定された場合であって、該選定されたサイズが相手先の記録紙能力を超える場合には、表裏の各画データのうち、相手先の記録紙能力を超える画データを相手先の記録紙能力に合わせて縮小して送信するとともに、相手先の記録紙能力内の画データについては余白を付加して両面送信する。
【０００９】
請求項３に記載の発明では、請求項１または２に記載の通信端末装置において、前記制御手段は、小さい方のサイズに合わせることが選定された場合であって、該選定されたサイズが相手先の記録紙能力を超える場合には、該選定されたサイズの表裏の各画データを相手先の記録紙能力に合わせて縮小して両面送信する。
【００１２】
【発明の実施の形態】
以下に、本発明に係る通信端末装置を複写機能付きファクシミリ装置に具体化した一実施形態について図面を用いて説明する。
【００１３】
図１に示すように、複写機能付きファクシミリ装置１は、ＭＰＵ１０、ＲＯＭ２０、ＲＡＭ３０、読取部４０、記録部５０、操作部６０、表示部７０、画像メモリ８０、コーデック９０、モデム１００、及びＮＣＵ１１０から構成されるとともに、各部１０〜１１０がバス１２０を介してそれぞれ接続されている。
【００１４】
ＭＰＵ１０は、複写機能付きファクシミリ装置１を構成する各部を制御する。ＲＯＭ２０は、複写機能付きファクシミリ装置１を制御するためのプログラムを記憶する。ＲＡＭ３０は、複写機能付きファクシミリ装置１に関する各種情報を記憶する。
【００１５】
読取部４０は、静止原稿を読み取るフラットベッドスキャナ（ＦＢＳ）４１及び複数の原稿を自動的に読み取る複数原稿自動読取部（ＡＤＦ）４２を備え、原稿上の画像データを読み取って、白黒２値のイメージデータを出力する。そして、ＦＢＳ４１は、原稿を載置する原稿載置板４１ａと、その原稿載置板４１ａに対して開閉回動される押え蓋４１ｂとを備えている。また、ＦＢＳ４１は、開閉センサ４１ｃを備え、押え蓋４１ｂが開放されたことを示す検出信号をＭＰＵ１０に出力する。さらに、ＦＢＳ４１は、原稿載置板４１ａの下方に配置され、その真上の位置に原稿が存在するか否かを検出する原稿幅センサ４１ｄを備えている。つまり、原稿幅センサ４１ｄは、原稿載置板４１ａに載置された原稿の幅を検出するためのものである。一方、ＡＤＦ４２は、原稿を載置する原稿台４２ａと、原稿有無センサ４２ｂとを備えている。そして、原稿有無センサ４２ｂは、原稿台４２ａに原稿が載置されたことを示す検出信号をＭＰＵ１０に出力する。また、ＡＤＦ４２は、原稿台４２ａに載置された原稿の幅を検出するための原稿幅センサ４２ｃを備えている。記録部５０は、電子写真方式のプリンタよりなり、受信画データや、コピー動作において読取部４０にて読み取られた原稿の画データを、記録紙上に記録する。
【００１６】
操作部６０は、ＦＡＸ／コピーキー６１、短縮キー６２、ワンタッチキー６３、テンキー（＊，＃キーを含む）６４、スタートキー６５、キャンセルキー６６、十字キー６７、ソフトキー６８及び設定キー６９等の各種操作キーを備えている。ＦＡＸ／コピーキー６１は、ＦＡＸモード又はコピーモードに設定するためのものである。短縮キー６２は、短縮番号の登録又は短縮番号から発信するためのものである。ワンタッチキー６３は、予め登録したＦＡＸ番号をワンタッチで指定するためのものである。テンキー６４は、電話番号等を入力するためのものである。スタートキー６５は、原稿の読み取り動作を開始させるためのものである。キャンセルキー６６は、画像メモリ８０から画データを消去するためのものである。十字キー６７は、表示部７０に表示された各項目の中から所望の項目を操作者に選択させるためのものである。ソフトキー６８は、表示部７０の下部に表示された項目を選択するためのものである。設定キー６９は、両面送信において表面の画データ及び裏面の画データを交互に送信するオルタネイトモード（Alternate mode）、又は表面の画データのみを連続して送信した後に裏面の画データのみを連続して送信するコンティニュアスモード（Continuous mode ）に設定するためのものである。ＬＣＤ等よりなる表示部７０は、複写機能付きファクシミリ装置１の動作状態等の各種情報の表示を行う。
【００１７】
画像メモリ８０は、受信画データや読取部４０で読み取られた画データを一時的に記憶する。コーデック９０は、読取部４０にて読み取られた画データを送信のためにＭＨ，ＭＲ，ＭＭＲ方式等により符号化（エンコード）する。また、コーデック９０は、受信画データを復号（デコード）する。
【００１８】
モデム１００は、ＩＴＵ−Ｔ勧告Ｔ．３０に従ったファクシミリ伝送制御手順に基づいて、Ｖ．１７，Ｖ．２７ｔｅｒ，Ｖ．２９等に従った送受信データの変調及び復調を行う。ＮＣＵ１１０は、電話回線Ｌとの接続を制御するとともに、相手先の電話番号（ＦＡＸ番号を含む）に対応したダイヤル信号の送出及び着信を検出するための機能を備えている。
【００１９】
次に、複写機能付きファクシミリ装置１において、両面送信するために両面原稿或いは片面原稿をフラットベッドスキャナ（ＦＢＳ）４１で読み取るときの動作について、図２に示すフローチャートを用いて説明する。なお、この動作は、ＲＯＭ２０に記憶されたプログラムに基づき、ＭＰＵ１０の制御により実行される（以下、複写機能付きファクシミリ装置１の動作について同じ）。
【００２０】
さて、ＦＢＳ４１の押え蓋４１ｂが開放されると、図２に示すステップＳ１では、開閉センサ４１ｃからの検出信号に基づいて、表面の原稿を読み取らせるメッセージを表示部７０に表示する。具体的には、「表面の原稿をセットしてスタートキーを押して下さい」を表示部７０に表示する。
【００２１】
ステップＳ２では、表示部７０に表示した読取メッセージに基づいて、表面の原稿が原稿載置板４１ａに載置された後、スタートキー６５が操作されるまで待機する。具体的には、両面原稿の表面或いは片面原稿が原稿載置板４１ａに載置された後、スタートキー６５が操作されるまで待機する。そして、スタートキー６５が操作された場合は、ステップＳ３で、原稿幅センサ４１ｄからの検出信号に基づいて、原稿載置板４１ａに載置された表面の原稿の幅、つまり表面の原稿における主走査方向の長さを検出する。
【００２２】
ステップＳ４では、表面の原稿をＦＢＳ４１で読み取るとともに、その読み取った原稿の画データをコーデック９０で符号化して、その符号化した画データを画像メモリ８０に記憶する。
【００２３】
ステップＳ５では、裏面の原稿を読み取らせるメッセージを表示部７０に表示する。具体的には、「裏面の原稿をセットしてスタートキーを押して下さい」を表示部７０に表示する。
【００２４】
ステップＳ６では、表示部７０に表示した読取メッセージに基づいて、裏面の原稿が原稿載置板４１ａに載置された後、スタートキー６５が操作されるまで待機する。具体的には、前記ステップＳ２において原稿載置板４１ａに載置された両面原稿の裏面或いは前記ステップＳ２において原稿載置板４１ａに載置された片面原稿とは別の片面原稿が原稿載置板４１ａに載置された後、スタートキー６５が操作されるまで待機する。そして、スタートキー６５が操作された場合は、ステップＳ７で、原稿幅センサ４１ｄからの検出信号に基づいて、原稿載置板４１ａに載置された裏面の原稿の幅、つまり裏面の原稿における主走査方向の長さを検出する。
【００２５】
ステップＳ８では、裏面の原稿をＦＢＳ４１で読み取るとともに、その読み取った原稿の画データをコーデック９０で符号化して、その符号化した画データを画像メモリ８０に記憶する。
【００２６】
ステップＳ９では、前記ステップＳ４において算出した表面の原稿の幅と、前記ステップＳ８において算出した裏面の原稿の幅とが同一であるか否かを判断する。前記ステップＳ２及びステップＳ６において両面原稿の表面及び裏面が原稿載置板４１ａに載置された場合や幅が同一の片面原稿が原稿載置板４１ａに載置された場合のように、その両原稿の幅が同一であるときは、ステップＳ１４に移行する。一方、前記ステップＳ２及びステップＳ６においてそれぞれ幅の異なる２枚の片面原稿が原稿載置板４１ａに載置された場合のように、その両原稿の幅が異なる場合は、ステップＳ１０に移行する。
【００２７】
ステップＳ１０では、両原稿のサイズが異なる旨のメッセージ及びその両原稿のサイズをいずれに合わせるかのメッセージを表示部７０に表示する。具体的には、図５に示すように、「表面とサイズが異なります」を表示部７０に表示する。また、「大きい方に合わせる」及び「小さい方に合わせる」の各項目を表示部７０に表示するとともに、「十字キーで項目を選択して下さい」を表示部７０に表示する。
【００２８】
ステップＳ１１及びステップＳ１２では、表示部７０に表示した各項目のいずれかが十字キー６７の操作により選択された後、その選択された項目がソフトキー６８の操作によって確定されるまで待機する。そして、前記ステップＳ１１において「大きい方に合わせる」の項目が選択及び確定された場合は、ステップＳ１４に移行する。一方、前記ステップＳ１２において「小さい方に合わせる」の項目が選択及び確定された場合は、ステップＳ１３で、表面の原稿及び裏面の原稿のうち大きい方の画データを小さい方の画データに合わせるために縮小して、両画データのサイズを一致させる。そして、ステップＳ１４に移行する。
【００２９】
ステップＳ１４では、開閉センサ４１ｃからの検出信号に基づいて、次原稿の有無を判断する。次原稿がある場合、つまり押え蓋４１ｂが開放された場合は、ステップＳ１で、表面の原稿を読み取らせるメッセージを表示部７０に表示する。一方、次原稿がない場合、つまり押え蓋４１ｂが開放されていない場合は、この処理を終了する。
【００３０】
次に、複写機能付きファクシミリ装置１において、両面送信するために両面原稿或いは片面原稿を複数原稿自動読取部（ＡＤＦ）４２で読み取るときの動作について、図３及び図４に示すフローチャートを用いて説明する。
【００３１】
さて、表面の原稿がＡＤＦ４２の原稿台４２ａに載置された後、スタートキー６５が操作されると、図３に示すステップＳ２１では、原稿幅センサ４２ｃからの検出信号に基づいて、表面の原稿の幅、つまり表面の原稿における主走査方向の長さを検出する。
【００３２】
ステップＳ２２では、原稿有無センサ４２ｂからの検出信号に基づいて、表面の原稿を１枚給送して、ＡＤＦ４２でその原稿上の画データを読み取るとともに、その読み取った原稿の画データをコーデック９０で符号化して、その符号化した画データを画像メモリ８０に記憶する。
【００３３】
ステップＳ２３では、原稿有無センサ４２ｂからの検出信号に基づいて、表面の次原稿の有無を判断する。表面の次原稿がある場合は、ステップＳ２１で、表面の次原稿を読み取って、その読み取った原稿の画データをコーデック９０で符号化した後、画像メモリ８０に記憶する。一方、表面の次原稿がない場合、つまり全ての表面の原稿の読み取りが終了した場合は、ステップＳ２４に移行する。
【００３４】
ステップＳ２４では、表面の原稿の読み取りが終了した旨のメッセージ及び裏面の原稿を読み取らせるメッセージを表示部７０に表示する。具体的には、「表面のスキャン１０枚が終了しました」及び「裏面の原稿をセットしてスタートキーを押して下さい」を表示部７０に表示する。
【００３５】
ステップＳ２５及びステップＳ２６では、キャンセルキー６６又はスタートキー６５が操作されるまで待機する。例えば、原稿が重送された場合には、表面の原稿枚数が１１枚であるにも拘わらず、読み取られた原稿枚数が１０枚となる。このように、表面の原稿枚数が異なる場合であって、前記ステップＳ２４において表示部７０に表示したメッセージに基づいて、前記ステップＳ２５においてキャンセルキー６６が操作されたときには、ステップＳ２７で、画像メモリ８０に記憶した表面の画データを全て消去する。一方、前記ステップＳ２４において表示部７０に表示したメッセージに基づいて、裏面の原稿が原稿台４２ａに載置された後、スタートキー６５が操作された場合は、ステップＳ２８に移行する。
【００３６】
ステップＳ２８では、原稿幅センサ４２ｃからの検出信号に基づいて、裏面の原稿の幅、つまり裏面の原稿における主走査方向の長さを検出する。
ステップＳ２９では、原稿有無センサ４２ｂからの検出信号に基づいて、裏面の原稿を１枚給送して、ＡＤＦ４２でその原稿を読み取るとともに、その読み取った原稿の画データをコーデック９０で符号化して、その符号化した画データを画像メモリ８０に記憶する。
【００３７】
ステップＳ３０では、前記ステップＳ２２において算出した表面の原稿の幅と、前記ステップＳ２９において算出した裏面の原稿の幅とが同一であるか否かを判断する。具体的には、表面の原稿の幅と、両面送信においてその表面の原稿に対応する裏面の原稿の幅とが同一であるか否かを判断する。つまり、１回目の制御サイクルでは、前記ステップＳ２２において算出した１枚目の表面の原稿の幅と、前記ステップＳ２９において算出した１枚目の裏面の原稿の幅とが同一であるか否かを判断する。そして、その両原稿の幅が同一である場合は、ステップＳ３１に移行する。一方、両原稿の幅が異なる場合は、図４に示すステップＳ４１に移行する。
【００３８】
図４に示すステップＳ４１では、両原稿のサイズが異なる旨のメッセージ及びその両原稿のサイズをいずれに合わせるか或いは裏面の原稿の読み取りをやり直すメッセージを表示部７０に表示する。具体的には、図６に示すように、「５枚目の表面とサイズが異なります」を表示部７０に表示する。また、「大きい方に合わせる」、「小さい方に合わせる」及び「裏面のスキャンをやり直す」の各項目を表示部７０に表示するとともに、「十字キーで項目を選択して下さい」を表示部７０に表示する。
【００３９】
ステップＳ４２〜ステップＳ４４では、表示部７０に表示した各項目のいずれかが十字キー６７の操作により選択された後、その選択された項目がソフトキー６８の操作によって確定されるまで待機する。そして、前記ステップＳ４２において「大きい方に合わせる」の項目が選択及び確定された場合は、図３に示すステップＳ３１に移行する。
【００４０】
一方、図４に示すステップＳ４３において「小さい方に合わせる」の項目が選択及び確定された場合は、ステップＳ４５に移行する。ステップＳ４５では、両面送信において対応する表面の原稿及び裏面の原稿のうち大きい方の画データを小さい方の画データに合わせるために縮小して、両画データのサイズを一致させる。そして、図３に示すステップＳ３１に移行する。
【００４１】
また、例えば図３に示すステップＳ２８において裏面の原稿が重送されて、表面の原稿及び裏面の原稿が両面送信において対応していない場合であって、図４に示すステップＳ４４において「裏面のスキャンをやり直す」の項目が選択及び確定されたときには、ステップＳ４６に移行する。ステップＳ４６では、画像メモリ８０に記憶した裏面の画データを全て消去する。そして、図３に示すステップＳ２４で、裏面の原稿を読み取らせるメッセージを表示部７０に表示する。
【００４２】
図３に示すステップＳ３１では、原稿有無センサ４２ｂからの検出信号に基づいて、裏面の次原稿の有無を判断する。裏面の次原稿がある場合は、ステップＳ２８で、裏面の次原稿を読み取って、その読み取った原稿の画データをコーデック９０で符号化した後、画像メモリ８０に記憶する。一方、裏面の次原稿がない場合、つまり全ての裏面の原稿の読み取りが終了した場合は、この処理を終了する。
【００４３】
次に、複写機能付きファクシミリ装置１において、読取部４０のＦＢＳ４１又はＡＤＦ４２で読み取った原稿の画データをオルタネイトモードで両面送信するときの動作について、図７に示すフローチャートを用いて説明する。
【００４４】
さて、設定キー６９の設定に基づいて、両面送信においてオルタネイトモードに設定されるとともに、相手先のＦＡＸ番号が短縮キー６２等から入力されると、図７に示すステップＳ６１では、相手先に対してＮＣＵ１１０から発呼を行う。
【００４５】
ステップＳ６２では、受信側から送信されてくるＤＩＳ信号を受信する。このＤＩＳ信号には、記録紙能力が含まれている。
ステップＳ６３では、次の表裏の画データのサイズが、相手先の記録紙能力内であるか否かを判断する。具体的には、図２に示すステップＳ１１又は図４に示すステップＳ４２において「大きい方に合わせる」の項目が選択及び確定された場合は、次の表裏の画データのうち大きい方のサイズが、相手先の記録紙能力内であるか否かを判断する。一方、図２に示すステップＳ１２又は図４に示すステップＳ４３において「小さい方に合わせる」の項目が選択及び確定された場合は、図２に示すステップＳ１３又は図４に示すステップＳ４５において一致させたサイズが相手先の記録紙能力内であるか否かを判断する。
【００４６】
そして、次の表裏の画データのサイズが、相手先の記録紙能力内である場合は、ステップＳ６４に移行する。一方、次の表裏の画データのサイズが、相手先の記録紙能力を越える場合は、ステップＳ６５に移行する。
【００４７】
ステップＳ６４では、両画データを相手先の記録紙能力内のサイズで両面送信する旨をＤＣＳ信号に格納して相手先に送出する。具体的には、次の表裏の画データのサイズが「Ａ４サイズ」の場合であって、相手先の記録紙能力が「Ｂ４サイズ」であるときは、「Ａ４サイズ」で両面送信する旨をＤＣＳ信号に格納して相手先に送出する。
【００４８】
ステップＳ６５では、両画データを相手先の記録紙能力に合わせたサイズで両面送信する旨をＤＣＳ信号に格納して相手先に送出する。具体的には、次の表裏の画データのサイズが「Ａ３サイズ」の場合であって、相手先の記録紙能力が「Ｂ４サイズ」であるときは、「Ｂ４サイズ」で両面送信する旨をＤＣＳ信号に格納して相手先に送出する。
【００４９】
ステップＳ６６では、両面送信処理、つまり表面の画データ及び裏面の画データの送信処理を実行する。
ステップＳ６７では、ＦＢＳ４１又はＡＤＦ４２で読み取った画データの両面送信が終了したか否かを判断する。両面送信が終了した場合は、ステップＳ７３に移行する。一方、両面送信が終了していない場合は、ステップＳ６８に移行する。
【００５０】
ステップＳ６８では、次の表裏の画データのサイズが、前記ステップＳ６６において両面送信したときのサイズ、つまり現在の通信サイズと同一であるか否かを判断する。具体的には、図２に示すステップＳ１１又は図４に示すステップＳ４２において「大きい方に合わせる」の項目が選択及び確定された場合は、次の表裏の画データのうち大きい方のサイズが現在の通信サイズと同一であるか否かを判断する。一方、図２に示すステップＳ１２又は図４に示すステップＳ４３において「小さい方に合わせる」の項目が選択及び確定された場合は、図２に示すステップＳ１３又は図４に示すステップＳ４５において一致させたサイズが現在の通信サイズと同一であるか否かを判断する。
【００５１】
そして、次の表裏の画データのサイズが現在の通信サイズと同一である場合は、ステップＳ６９に移行する。一方、次の表裏の画データのサイズが現在の通信サイズと異なる場合は、ステップＳ７０に移行する。
【００５２】
ステップＳ６９では、ＭＰＳ信号を相手先に送出して、ＭＣＦ信号を受信した後、前記ステップＳ６６に戻って、次の表裏の画データの両面送信処理を実行する。
【００５３】
ステップＳ７０では、次の表裏の画データのサイズが現在の通信サイズよりも大きいか否かを判断する。現在の通信サイズよりも大きい場合は、ステップＳ７１に移行する。一方、現在の通信サイズよりも小さい場合は、ステップＳ７２に移行する。
【００５４】
ステップＳ７１では、現在の通信サイズが相手先の最大記録紙能力であるか否かを判断する。
そして、現在の通信サイズが相手先の最大記録紙能力である場合、つまり次の表裏の画データを現在の通信サイズよりも大きなサイズで両面送信することができない場合は、ステップＳ６９に移行する。具体的には、図２に示すステップＳ１１又は図４に示すステップＳ４２において「大きい方に合わせる」の項目が選択及び確定された場合であって、現在の通信サイズが「Ｂ４サイズ」、相手先の最大記録紙能力が「Ｂ４サイズ」、次の表面の画データのサイズが「Ａ４サイズ」、両面送信においてその表面の画データに対応する裏面の画データのサイズが「Ａ３サイズ」であるときには、ステップＳ６９に移行する。
【００５５】
また、次の表面の画データのサイズが「Ｂ４サイズ」、両面送信においてその表面の画データに対応する裏面の画データのサイズが「Ａ３サイズ」の場合であって、図２に示すステップＳ１２又は図４に示すステップＳ４３において「小さい方に合わせる」の項目が選択及び確定されたときには、その表裏の画データのサイズを、図２に示すステップＳ１３又は図４に示すステップＳ４５において「Ｂ４サイズ」に一致させている。そして、このような場合であって、現在の通信サイズが「Ａ４サイズ」、相手先の最大記録紙能力が「Ａ４サイズ」であるときには、「Ｂ４サイズ」に一致させた次の表裏の画データが、相手先の最大記録紙能力である「Ａ４サイズ」を越える。つまり、「Ｂ４サイズ」に一致させた次の表裏の画データを、「Ａ４サイズ」である現在の通信サイズよりも大きなサイズの「Ｂ４サイズ」で両面送信することができない。このため、このような場合も、ステップＳ７１からステップＳ６９に移行する。
【００５６】
そして、これらの場合には、ステップＳ６９においてＭＰＳ信号を相手先に送出して、ＭＣＦ信号を受信した後、前記ステップＳ６６に戻って、次の表裏の画データを現在の通信サイズで両面送信する。
【００５７】
一方、現在の通信サイズが相手先の最大記録紙能力ではない場合、つまり次の表裏の画データを現在の通信サイズよりも大きなサイズで両面送信することができる場合は、ステップＳ７２に移行する。具体的には、図２に示すステップＳ１１又は図４に示すステップＳ４２において「大きい方に合わせる」の項目が選択及び確定された場合であって、現在の通信サイズが「Ａ４サイズ」、相手先の最大記録紙能力が「Ｂ４サイズ」、次の表面の画データのサイズが「Ａ４サイズ」、両面送信においてその表面の画データに対応する裏面の画データのサイズが「Ｂ４サイズ」であるときには、ステップＳ７２に移行する。
【００５８】
また、次の表面の画データのサイズが「Ｂ４サイズ」、両面送信においてその表面の画データに対応する裏面の画データのサイズが「Ａ３サイズ」の場合であって、図２に示すステップＳ１２又は図４に示すステップＳ４３において「小さい方に合わせる」の項目が選択及び確定されたときには、その表裏の画データのサイズを、図２に示すステップＳ１３又は図４に示すステップＳ４５において「Ｂ４サイズ」に一致させている。そして、このような場合であって、現在の通信サイズが「Ａ４サイズ」、相手先の最大記録紙能力が「Ｂ４サイズ」であるときには、「Ｂ４サイズ」に一致させた次の表裏の画データを、「Ａ４サイズ」である現在の通信サイズよりも大きなサイズの「Ｂ４サイズ」で両面送信することができる。このため、このような場合も、ステップＳ７１からステップＳ７２に移行する。
【００５９】
ステップＳ７２では、ＥＯＭ信号を相手先に送出して、ＭＣＦ信号を受信した後、前記ステップＳ６２に戻って、受信側から送信されてくるＤＩＳ信号を受信する。
【００６０】
前記ステップＳ６７において両面送信が終了した場合は、ステップＳ７３で、ＥＯＰ信号を相手先に送出して、ＭＣＦ信号を受信する。そして、ＤＣＮ信号を送出して、電話回線Ｌを切断し、この処理を終了する。
【００６１】
次に、図７に示すステップＳ６６の両面送信処理の動作について、図８に示すフローチャートを用いて説明する。
図８に示すステップＳ８１では、表面の画データのサイズが現在の通信サイズと同一であるか否かを判断する。表面の画データのサイズが現在の通信サイズと同一である場合は、ステップＳ８２に移行する。一方、表面の画データのサイズが現在の通信サイズと異なる場合は、ステップＳ８３に移行する。
【００６２】
ステップＳ８２では、表面の画データを等倍で相手先に送信する。具体的には、図７に示すステップＳ６４において両画データを相手先の記録紙能力内の「Ｂ４サイズ」で両面送信する旨をＤＣＳ信号に格納して相手先に送出した場合であって、表面の画データのサイズが現在の通信サイズと同一の「Ｂ４サイズ」であるときは、「Ｂ４サイズ」の表面の画データを等倍で相手先に送信する。
【００６３】
ステップＳ８３では、表面の画データのサイズが現在の通信サイズよりも大きいか否かを判断する。表面の画データのサイズが現在の通信サイズよりも大きい場合は、ステップＳ８４に移行する。一方、表面の画データのサイズが現在の通信サイズよりも小さい場合は、ステップＳ８５に移行する。
【００６４】
ステップＳ８４では、表面の画データを縮小して相手先に送信する。具体的には、図７に示すステップＳ６４において両画データを相手先の記録紙能力内の「Ｂ４サイズ」で両面送信する旨をＤＣＳ信号に格納して相手先に送出した場合であって、表面の画データのサイズが現在の通信サイズよりも大きい「Ａ３サイズ」であるときは、「Ａ３サイズ」の表面の画データを「Ｂ４サイズ」に縮小して相手先に送信する。
【００６５】
ステップＳ８５では、表面の画データに余白を付加して相手先に送信する。具体的には、図７に示すステップＳ６４において両画データを相手先の記録紙能力内の「Ｂ４サイズ」で両面送信する旨をＤＣＳ信号に格納して相手先に送出した場合であって、表面の画データのサイズが現在の通信サイズよりも小さい「Ａ４サイズ」であるときは、「Ａ４サイズ」の表面の画データに余白を付加して「Ｂ４サイズ」で相手先に送信する。
【００６６】
ステップＳ８６〜ステップＳ９０では、裏面の画データに対して、前記ステップＳ８１〜ステップＳ８５と同様の処理を行う。
次に、複写機能付きファクシミリ装置１において、読取部４０のＦＢＳ４１又はＡＤＦ４２で読み取った原稿の画データをコンティニュアスモードで両面送信するときの動作について、図９及び図１０に示すフローチャートを用いて説明する。
【００６７】
さて、設定キー６９の設定に基づいて、両面送信においてコンティニュアスモードに設定されるとともに、相手先のＦＡＸ番号が短縮キー６２等から入力されると、図９に示すステップＳ１０１及びステップＳ１０２では、図７に示すステップＳ６１及びステップＳ６２と同様の処理を行う。
【００６８】
ステップＳ１０３では、次の表裏の画データのサイズが、相手先の記録紙能力内であるか否かを判断する。具体的には、図２に示すステップＳ１１又は図４に示すステップＳ４２において「大きい方に合わせる」の項目が選択及び確定された場合は、次の表裏の画データのうち大きい方のサイズが、相手先の記録紙能力内であるか否かを判断する。一方、図２に示すステップＳ１２又は図４に示すステップＳ４３において「小さい方に合わせる」の項目が選択及び確定された場合は、図２に示すステップＳ１３又は図４に示すステップＳ４５において一致させたサイズが相手先の記録紙能力内であるか否かを判断する。
【００６９】
そして、次の表裏の画データのサイズが、相手先の記録紙能力内である場合は、ステップＳ１０４に移行する。一方、次の表裏の画データのサイズが、相手先の記録紙能力を越える場合は、ステップＳ１０５に移行する。
【００７０】
ステップＳ１０４では、次の表裏の画データを相手先の記録紙能力内のサイズで送信する旨をＤＣＳ信号に格納して相手先に送出する。
ステップＳ１０５では、次の表裏の画データを相手先の記録紙能力に合わせたサイズで送信する旨をＤＣＳ信号に格納して相手先に送出する。
【００７１】
ステップＳ１０６では、表面の画データの送信処理を実行する。
ステップＳ１０７では、ＦＢＳ４１又はＡＤＦ４２で読み取った表面の画データの送信が終了したか否かを判断する。表面の画データの送信が終了した場合は、図１０に示すステップＳ１２１に移行する。一方、表面の画データの送信が終了していない場合は、ステップＳ１０８に移行する。
【００７２】
ステップＳ１０８では、次の表裏の画データのサイズが、前記ステップＳ１０６において送信したときのサイズ、つまり現在の通信サイズと同一であるか否かを判断する。つまり、次の表面の画データのサイズが現在の通信サイズと同一であるか否かを判断するのではなく、次の表裏の画データのサイズが現在の通信サイズと同一であるか否かを判断する。具体的には、図２に示すステップＳ１１又は図４に示すステップＳ４２において「大きい方に合わせる」の項目が選択及び確定された場合は、次の表裏の画データのうち大きい方のサイズが現在の通信サイズと同一であるか否かを判断する。一方、図２に示すステップＳ１２又は図４に示すステップＳ４３において「小さい方に合わせる」の項目が選択及び確定された場合は、図２に示すステップＳ１３又は図４に示すステップＳ４５において一致させたサイズが現在の通信サイズと同一であるか否かを判断する。
【００７３】
そして、次の表裏の画データのサイズが現在の通信サイズと同一である場合は、ステップＳ１０９に移行する。一方、次の表裏の画データのサイズが現在の通信サイズと異なる場合は、ステップＳ１１０に移行する。
【００７４】
ステップＳ１０９では、ＭＰＳ信号を相手先に送出して、ＭＣＦ信号を受信した後、前記ステップＳ１０６に戻って、次の表面の画データの送信処理を実行する。
【００７５】
ステップＳ１１０では、次の表裏の画データのサイズが現在の通信サイズよりも大きいか否かを判断する。現在の通信サイズよりも大きい場合は、ステップＳ１１１に移行する。一方、現在の通信サイズよりも小さい場合は、ステップＳ１１２に移行する。
【００７６】
ステップＳ１１１では、現在の通信サイズが相手先の最大記録紙能力であるか否かを判断する。
そして、現在の通信サイズが相手先の最大記録紙能力である場合、つまり次の表裏の画データを現在の通信サイズよりも大きなサイズで送信することができない場合は、ステップＳ１０９に移行する。具体的には、図２に示すステップＳ１１又は図４に示すステップＳ４２において「大きい方に合わせる」の項目が選択及び確定された場合であって、現在の通信サイズが「Ｂ４サイズ」、相手先の最大記録紙能力が「Ｂ４サイズ」、次の表面の画データのサイズが「Ａ４サイズ」、両面送信においてその表面の画データに対応する裏面の画データのサイズが「Ａ３サイズ」であるときには、ステップＳ１０９に移行する。
【００７７】
また、次の表面の画データのサイズが「Ｂ４サイズ」、両面送信においてその表面の画データに対応する裏面の画データのサイズが「Ａ３サイズ」の場合であって、図２に示すステップＳ１２又は図４に示すステップＳ４３において「小さい方に合わせる」の項目が選択及び確定されたときには、その表裏の画データのサイズを、図２に示すステップＳ１３又は図４に示すステップＳ４５において「Ｂ４サイズ」に一致させている。そして、このような場合であって、現在の通信サイズが「Ａ４サイズ」、相手先の最大記録紙能力が「Ａ４サイズ」であるときには、「Ｂ４サイズ」に一致させた次の表裏の画データが、相手先の最大記録紙能力である「Ａ４サイズ」を越える。つまり、「Ｂ４サイズ」に一致させた次の表裏の画データを、「Ａ４サイズ」である現在の通信サイズよりも大きなサイズの「Ｂ４サイズ」で両面送信することができない。このため、このような場合も、ステップＳ１１１からステップＳ１０９に移行する。
【００７８】
そして、これらの場合には、ステップＳ１０９においてＭＰＳ信号を相手先に送出して、ＭＣＦ信号を受信した後、前記ステップＳ１０６に戻って、次の表面の画データを現在の通信サイズで送信する。
【００７９】
一方、現在の通信サイズが相手先の最大記録紙能力ではない場合、つまり次の表裏の画データを現在の通信サイズよりも大きなサイズで送信することができる場合は、ステップＳ１１２に移行する。具体的には、図２に示すステップＳ１１又は図４に示すステップＳ４２において「大きい方に合わせる」の項目が選択及び確定された場合であって、現在の通信サイズが「Ａ４サイズ」、相手先の最大記録紙能力が「Ｂ４サイズ」、次の表面の画データのサイズが「Ａ４サイズ」、両面送信においてその表面の画データに対応する裏面の画データのサイズが「Ｂ４サイズ」であるときには、ステップＳ１１２に移行する。
【００８０】
また、次の表面の画データのサイズが「Ｂ４サイズ」、両面送信においてその表面の画データに対応する裏面の画データのサイズが「Ａ３サイズ」の場合であって、図２に示すステップＳ１２又は図４に示すステップＳ４３において「小さい方に合わせる」の項目が選択及び確定されたときには、その表裏の画データのサイズを、図２に示すステップＳ１３又は図４に示すステップＳ４５において「Ｂ４サイズ」に一致させている。そして、このような場合であって、現在の通信サイズが「Ａ４サイズ」、相手先の最大記録紙能力が「Ｂ４サイズ」であるときには、「Ｂ４サイズ」に一致させた次の表裏の画データを、「Ａ４サイズ」である現在の通信サイズよりも大きなサイズの「Ｂ４サイズ」で両面送信することができる。このため、このような場合も、ステップＳ１１１からステップＳ１１２に移行する。
【００８１】
ステップＳ１１２では、ＥＯＭ信号を相手先に送出して、ＭＣＦ信号を受信した後、前記ステップＳ１０２に戻って、受信側から送信されてくるＤＩＳ信号を受信する。
【００８２】
前記ステップＳ１０７において表面の画データの送信が終了した場合は、図１０に示すステップＳ１２１で、ＥＯＭ信号を相手先に送出して、ＭＣＦ信号を受信する。
【００８３】
ステップＳ１２２〜ステップＳ１３２では、裏面の画データに対して、図９に示すステップＳ１０２〜ステップＳ１１２と同様の処理を行う。
図１０に示すステップＳ１２７において裏面の画データの送信が終了した場合は、ステップＳ１３３で、ＥＯＰ信号を相手先に送出して、ＭＣＦ信号を受信する。そして、ＤＣＮ信号を送出して、電話回線Ｌを切断し、この処理を終了する。
【００８４】
次に、図９に示すステップＳ１０６の処理、即ち、表面の画データの送信処理の動作及び図１０に示すステップＳ１２６の処理、即ち、裏面の画データの送信処理の動作について、図１１に示すフローチャートを用いて説明する。
【００８５】
図１１に示すステップＳ１４１〜ステップＳ１４５では、表面の画データに対して、図８に示すステップＳ８１〜ステップＳ８５と同様の処理を行う。
一方、前記ステップＳ１４１〜ステップＳ１４５では、裏面の画データに対して、図８に示すステップＳ８６〜ステップＳ９０と同様の処理を行う。
【００８６】
以上、詳述したように本実施形態によれば、次のような作用、効果を得ることができる。
（１）両面送信するためにＦＢＳ４１又はＡＤＦ４２で読み取った表裏の原稿のサイズが異なる場合には、図５及び図６に示すように、両原稿のサイズが異なる旨のメッセージを表示部７０に表示している（Ｓ１０及びＳ４１）。その結果、サイズの異なる表裏の原稿の画データを両面送信する場合には、前記メッセージに基づいて、両原稿のサイズが異なる旨を操作者に確認させることができる。一方、操作者がサイズの異なる原稿を間違った順序でＦＢＳ４１又はＡＤＦ４２に載置した場合には、前記メッセージに基づいて、表裏の原稿のサイズを統一して再度読み取らせることもできる。従って、利便性に優れた複写機能付きファクシミリ装置１を提供することができる。
【００８７】
（２）加えて、表裏の原稿のサイズが異なる場合には、前記メッセージに加えて、両原稿のサイズをいずれに合わせるかのメッセージを表示部７０に表示している。そして、そのメッセージに基づいて、「小さい方に合わせる」の項目が選択及び確定された場合であって、両面送信する表裏の画データのサイズがいずれも相手先の記録紙能力内であるときには、表裏の画データを小さい方のサイズで両面送信している（Ｓ６６、Ｓ１０６及びＳ１２６）。具体的には、表面の画データのサイズが「Ａ４サイズ」、裏面の画データのサイズが「Ｂ４サイズ」、相手先の記録紙能力が「Ｂ４サイズ」の場合であって、「小さい方に合わせる」の項目が選択及び確定されたときには、「Ａ４サイズ」の表面の画データを等倍で相手先に送信するとともに（Ｓ８２及びＳ１４２）、「Ｂ４サイズ」の裏面の画データを「Ａ４サイズ」に縮小して相手先に送信している（Ｓ８９及びＳ１４４）。即ち、サイズの異なる表裏の原稿の画データを同一サイズ、つまり小さい方のサイズで両面送信している。そのため、原稿のサイズを統一するために、予め一方の原稿を縮小コピー或いは拡大コピーする必要がなく、画質が劣化することもない。従って、利便性に優れた複写機能付きファクシミリ装置１を提供することができる。
【００８８】
（３）しかも、上記（２）の場合には、相手先では、表裏の画データが同一サイズの記録紙に記録される。その結果、相手先において記録紙サイズを統一するために、記録済みの一方の記録紙を縮小コピー或いは拡大コピーする必要がなく、画質が劣化することもない。従って、相手先にとっても利便性に優れた複写機能付きファクシミリ装置１を提供することができる。
【００８９】
（４）さらに、表面の画データのサイズが「Ａ４サイズ」、裏面の画データのサイズが「Ａ３サイズ」、相手先の記録紙能力が「Ｂ４サイズ」の場合であって、「大きい方に合わせる」の項目が選択及び確定されたときには、「Ａ４サイズ」の表面の画データに余白を付加して「Ｂ４サイズ」で相手先に送信するとともに（Ｓ８５及びＳ１４５）、「Ａ３サイズ」の裏面の画データを「Ｂ４サイズ」に縮小して相手先に送信している（Ｓ８９及びＳ１４４）。即ち、「Ａ４サイズ」の表面の画データを拡大するのではなく、「Ａ４サイズ」の表面の画データに余白を付加して相手先に送信している。換言すれば、表面の画データに単に余白を付加しているだけであり、画データを拡大しているわけではない。つまり、送信原稿上の画データのサイズが維持される。しかも、表面の画データに単に余白を付加しているだけなので、画データを拡大した場合と比較して、画データのデータ量が少なくて済む。その結果、画像メモリ８０の記憶領域を有効に使用することもできる。従って、利便性に優れた複写機能付きファクシミリ装置１を提供することができる。
【００９０】
（５）しかも、上記（４）の場合には、前記「大きい方に合わせる」の項目が選択及び確定された直後ではなく、送信時に余白を付加している。ところで、本実施形態とは異なり、前記「大きい方に合わせる」の項目が選択及び確定された直後（Ｓ１１及びＳ４２の直後）に余白を付加する構成では、次のようにして表面の画データが送信される。即ち、前記「大きい方に合わせる」の項目の選択及び確定に基づいて、「Ａ４サイズ」の表面の画データには、「Ａ３サイズ」の裏面の画データに合わせるために余白が付加されて、表裏の画データのサイズが「Ａ３サイズ」で一致する。そして、その両画データのサイズが相手先の記録紙能力を越える「Ａ３サイズ」であるため、「Ａ４サイズ」の画データに余白が付加された「Ａ３サイズ」の表面の画データが「Ｂ４サイズ」に縮小されて相手先に送信される。つまり、このように構成すると、「Ａ４サイズ」の画データと余白とで構成された「Ａ３サイズ」が「Ｂ４サイズ」に縮小されて相手先に送信される。具体的には、「Ａ３サイズ」を「Ｂ４サイズ」に縮小する場合の倍率は「８６％」である。その結果、表面の原稿の画データとして文字が記録されている場合には、その文字が「８６％」に縮小される。
【００９１】
しかし、本実施形態では、「Ａ４サイズ」の画データに送信時に余白を付加した「Ｂ４サイズ」の表面の画データを相手先に送信している。その結果、上記の構成とは異なり、表面の原稿の画データとして文字が記録されている場合でも、その文字が縮小されることはない。
【００９２】
なお、前記実施形態は、次のように変更して具体化することも可能である。
・前記実施形態では、図２に示すステップＳ９及び図３に示すステップＳ３０において表裏の原稿の幅が異なる場合は、図５及び図６に示すように、表裏の原稿のサイズをいずれに合わせるかのメッセージを表示部７０に表示する構成としたが、次のような構成としてもよい。即ち、表裏の原稿の幅が異なる場合は、表裏の原稿のサイズをいずれに合わせるかのメッセージに加えて、表裏の原稿の中間のサイズに合わせるかのメッセージ、つまり「中間サイズに合わせる」の項目も表示部７０に表示する構成としてもよい。例えば、表面の原稿サイズが「Ａ４サイズ」、裏面の原稿サイズが「Ａ３サイズ」の場合であって、「中間サイズに合わせる」の項目が選択及び確定されたときには、表裏の画データを「Ａ４サイズ」と「Ａ３サイズ」との中間のサイズである「Ｂ４サイズ」に合わせる構成としてもよい。
【００９３】
・前記実施形態では、図２に示すステップＳ９及び図３に示すステップＳ３０において表裏の原稿の幅が同一であるか否かを判断する構成としたが、表裏の原稿の長さ、つまり表裏の原稿における副走査方向の長さが同一であるか否かを判断する構成としてもよい。又は、表裏の原稿の幅及び長さが同一であるか否かを判断する構成としてもよい。尚、図２に示すステップＳ４、ステップＳ８及び図３に示すステップＳ２２、ステップＳ２９では、ＦＢＳ４１或いはＡＤＦ４２で読み取った画データに基づいて、原稿の長さ、又は原稿の幅及び長さを算出する。
【００９４】
・加えて、表裏の原稿の幅及び長さが同一であるか否かを判断する構成であって、「中間サイズに合わせる」の項目を表示部７０に表示する構成としてもよい。このように構成すれば、「レターサイズ」の表面の画データ及び「Ａ３サイズ」の裏面の画データを読み取った場合であって、「中間サイズに合わせる」の項目が選択及び確定されたときには、中間のサイズとして「Ａ４サイズ」、「リーガルサイズ」及び「Ｂ４サイズ」のいずれかを選択する。ここで、表裏の原稿の長さ、つまり原稿の副走査方向の長さを考慮しているため、最も長さの短い「Ａ４サイズ」を選択する。その結果、最適な送信サイズで画データを送信することができる。また、大きい送信サイズで画データを送信する場合と比較して、安い通信料金で画データを送信することができる。しかも、相手先において「Ａ４サイズ」、「リーガルサイズ」及び「Ｂ４サイズ」の記録紙が収容されているときには、最もサイズの小さい「Ａ４サイズ」の記録紙に表裏の画データが記録される。その結果、相手先においても大きいサイズの記録紙が無駄に消費されることを防止することができる。
【００９５】
・前記実施形態では、図８に示すステップＳ８３、ステップＳ８８及び図１１に示すステップＳ１４３において画データのサイズが現在のサイズよりも小さい場合は、図８に示すステップＳ８５、ステップＳ９０及び図１１に示すステップＳ１４５において画データに余白を付加して相手先に送信する構成としたが、次のような構成としてもよい。即ち、画データに余白を付加する代わりに、画データを拡大して相手先に送信する構成としてもよい。
【００９７】
【発明の効果】
本発明は、以上のように構成されているため、次のような効果を奏する。
請求項１〜請求項３のいずれか１項に記載の発明によれば、利便性に優れた通信端末装置を提供することができる。
【図面の簡単な説明】
【図１】複写機能付きファクシミリ装置の構成を示すブロック図。
【図２】原稿をＦＢＳで読み取るときの動作を示すフローチャート。
【図３】原稿をＡＤＦで読み取るときの動作を示すフローチャート。
【図４】原稿をＡＤＦで読み取るときの動作を示すフローチャート。
【図５】メッセージを表示したときの表示部を示す平面図。
【図６】メッセージを表示したときの表示部を示す平面図。
【図７】オルタネイトモードで両面送信するときの動作を示すフローチャート。
【図８】両面送信処理の動作を示すフローチャート。
【図９】コンティニュアスモードで両面送信するときの動作を示すフローチャート。
【図１０】コンティニュアスモードで両面送信するときの動作を示すフローチャート。
【図１１】表面の送信処理及び裏面の送信処理の動作を示すフローチャート。
【符号の説明】
１…通信端末装置としての複写機能付きファクシミリ装置、１０…制御手段を構成するＭＰＵ、２０…制御手段を構成するＲＯＭ、３０…制御手段を構成するＲＡＭ、７０…報知手段としての表示部。
【図１】
0003666393.tif 000002
【図２】
0003666393.tif 000003
【図３】
0003666393.tif 000004
【図４】
0003666393.tif 000005
【図５】
0003666393.tif 000006
【図６】
0003666393.tif 000007
【図７】
0003666393.tif 000008
【図８】
0003666393.tif 000009
【図９】
0003666393.tif 000010
【図１０】
0003666393.tif 000011
【図１１】
0003666393.tif 000012